【手続補正書】
【提出日】令和3年2月16日(2021.2.16)
【手続補正１】
【補正対象書類名】特許請求の範囲
【補正対象項目名】全文
【補正方法】変更
【補正の内容】
【特許請求の範囲】
【請求項１】
第一表示部と、車両の乗員の目線において前記第一表示部の上方に表示される第二表示部と、を制御する表示制御装置であって、
前記車両に係る機能の作動状態が変化した場合に、前記作動状態を示す画像を前記第二表示部に表示させてから所定時間経過後に消去すると共に、前記画像に対応する情報が前記第一表示部に表示されている状態に制御する制御部、
を備える表示制御装置。
【請求項２】
第一表示部と、車両の乗員の目線において前記第一表示部の上方に表示される第二表示部と、を制御する表示制御装置であって、
前記車両において始動時に有効とされている機能が前記乗員により無効とされている場合、定期的に前記無効の状態を示す画像を前記第二表示部に表示させてから所定時間経過後に消去すると共に、前記画像に対応する情報が前記第一表示部に表示されている状態に制御する制御部、
を備える表示制御装置。
【請求項３】
前記制御部は、
予め前記第一表示部に表示されている前記画像を前記第二表示部に移行表示させた後、前記画像を再び前記第一表示部に移行表示させる請求項１又は２に記載の表示制御装置。
【請求項４】
前記制御部は、
前記第二表示部と前記第一表示部との間の前記画像の移行表示をアニメーションにより実行する請求項１から３の何れか１項に記載の表示制御装置。
【請求項５】
前記制御部は、
前記第二表示部と前記第一表示部とで異なる図柄の前記画像を表示させる請求項１から４の何れか１項に記載の表示制御装置。
【請求項６】
前記第一表示部はメータディスプレイであり、前記第二表示部はヘッドアップディスプレイである請求項１から５の何れか１項に記載の表示制御装置。
【請求項７】
請求項１から６の何れか１項に記載の表示制御装置と、
前記第一表示部と、
前記第二表示部と、
を備える車両用表示装置。
【請求項８】
第一表示部と、車両の乗員の目線において前記第一表示部の上方に表示される第二表示部と、を制御する表示制御方法であって、
前記車両に係る機能の作動状態が変化した場合に、前記作動状態を示す画像を前記第二表示部に表示させてから所定時間経過後に消去すると共に、前記画像に対応する情報が前記第一表示部に表示されている状態に制御する処理をコンピュータが実行する表示制御方法。
【請求項９】
第一表示部と、車両の乗員の目線において前記第一表示部の上方に表示される第二表示部と、を制御する表示制御方法であって、
前記車両において始動時に有効とされている機能が前記乗員により無効とされている場合、定期的に前記無効の状態を示す画像を前記第二表示部に表示させてから所定時間経過後に消去すると共に、前記画像に対応する情報が前記第一表示部に表示されている状態に制御する処理をコンピュータが実行する表示制御方法。
【請求項１０】
第一表示部と、車両の乗員の目線において前記第一表示部の上方に表示される第二表示部と、を制御するプログラムであって、
前記車両に係る機能の作動状態が変化した場合に、前記作動状態を示す画像を前記第二表示部に表示させてから所定時間経過後に消去すると共に、前記画像に対応する情報が前記第一表示部に表示されている状態に制御する処理をコンピュータに実行させるプログラム。
【請求項１１】
第一表示部と、車両の乗員の目線において前記第一表示部の上方に表示される第二表示部と、を制御するプログラムであって、
前記車両において始動時に有効とされている機能が前記乗員により無効とされている場合、定期的に前記無効の状態を示す画像を前記第二表示部に表示させてから所定時間経過後に消去すると共に、前記画像に対応する情報が前記第一表示部に表示されている状態に制御する処理をコンピュータに実行させるプログラム。
【手続補正２】
【補正対象書類名】明細書
【補正対象項目名】発明の名称
【補正方法】変更
【補正の内容】
【発明の名称】表示制御装置、車両用表示装置、表示制御方法及びプログラム
【手続補正３】
【補正対象書類名】明細書
【補正対象項目名】０００１
【補正方法】変更
【補正の内容】
【０００１】
本発明は、表示制御装置、車両用表示装置、表示制御方法及びプログラムに関する。
【手続補正４】
【補正対象書類名】明細書
【補正対象項目名】０００５
【補正方法】変更
【補正の内容】
【０００５】
本発明は、乗員が気付き難い車両機能の作動状態の変化を、視覚を通じて乗員に対して強調して伝えることが可能な表示制御装置、車両用表示装置、表示制御方法及びプログラムを得ることを目的とする。
【手続補正５】
【補正対象書類名】明細書
【補正対象項目名】０００６
【補正方法】変更
【補正の内容】
【０００６】
第１の態様の車両用表示装置は、メータディスプレイに設けられ、車両の乗員に視認可能な第一表示部と、ヘッドアップディスプレイの投影面に設けられ、前記乗員の目線において前記第一表示部の上方に隣接して表示される第二表示部と、前記車両に係る機能の作動状態が自動的に変化した場合に、前記作動状態を示す画像を前記第二表示部に表示させた後、前記画像を前記第一表示部に移行表示させる制御部と、を備えている。
【手続補正６】
【補正対象書類名】明細書
【補正対象項目名】０００８
【補正方法】変更
【補正の内容】
【０００８】
第１の態様の車両用表示装置は、オートライト、オートワイパ等のオート機能を備えた車両に適用される。例えば、夕暮れ時に前照灯が点灯していてもウィンドウ越しには気付き難いが、第１の態様の車両用表示装置によれば、オートライトの点灯状態等、乗員が気付き難い作動状態につき視覚を通じて乗員に対して強調して伝えることができる。
【手続補正７】
【補正対象書類名】明細書
【補正対象項目名】０００９
【補正方法】変更
【補正の内容】
【０００９】
第２の態様の車両用表示装置は、メータディスプレイに設けられ、車両の乗員に視認可能な第一表示部と、ヘッドアップディスプレイの投影面に設けられ、前記乗員の目線において前記第一表示部の上方に隣接して表示される第二表示部と、前記車両において始動時に有効とされている機能が前記乗員により無効とされている場合、定期的に前記無効の状態を示す画像を前記第二表示部に表示させた後、前記画像を前記第一表示部に移行表示させる制御部と、を備えている。
【手続補正８】
【補正対象書類名】明細書
【補正対象項目名】００１０
【補正方法】変更
【補正の内容】
【００１０】
「移行表示」及び「作動状態」の意味は、上述のとおりである。第２の態様の車両用表示装置は、ＶＳＣ（Vehicle Stability Control）、レーンキープシステム等の安全機能を備えた車両に適用される。例えば、ＶＳＣ等の安全機能を無効化し、その状態がメータに表示されていても、無効化の状態が常態化していると乗員は無効化したことに気が付かない場合がある。これに対し、第２の態様の車両用表示装置によれば、安全機能の無効化等、乗員が気付き難い作動状態につき視覚を通じて乗員に対して強調して伝えることができる。
【手続補正９】
【補正対象書類名】明細書
【補正対象項目名】００１１
【補正方法】変更
【補正の内容】
【００１１】
第３の態様の車両用表示装置では、前記制御部は、予め前記第一表示部に表示されている前記画像を前記第二表示部に移行表示させた後、前記画像を再び前記第一表示部に移行表示させる。
【手続補正１０】
【補正対象書類名】明細書
【補正対象項目名】００１２
【補正方法】変更
【補正の内容】
【００１２】
第３の態様の車両用表示装置によれば、機能の作動状態を示す画像が強調表示される前から既に機能の作動状態が変化していることを乗員に対して報知することができる。
【手続補正１１】
【補正対象書類名】明細書
【補正対象項目名】００１３
【補正方法】変更
【補正の内容】
【００１３】
第４の態様の車両用表示装置では、前記制御部は、前記第二表示部と前記第一表示部との間の前記画像の移行表示をアニメーションにより実行する。
【手続補正１２】
【補正対象書類名】明細書
【補正対象項目名】００１４
【補正方法】変更
【補正の内容】
【００１４】
第４の態様の車両用表示装置によれば、乗員に対して違和感を与えることなく機能の作動状態に変化が生じていることを報知することができる。
【手続補正１３】
【補正対象書類名】明細書
【補正対象項目名】００１５
【補正方法】変更
【補正の内容】
【００１５】
第５の態様の車両用表示装置では、前記制御部は、前記第二表示部と前記第一表示部とで異なる図柄の前記画像を表示させる。
【手続補正１４】
【補正対象書類名】明細書
【補正対象項目名】００１６
【補正方法】変更
【補正の内容】
【００１６】
第５の態様の車両用表示装置は、第一表示部における報知が簡易なインジケータを用いた場合であっても、第二表示部において機能を視覚的に表現する場合に適用される。第５の態様の車両用表示装置によれば、乗員が車両機能を理解することを補助することができる。